(57)【要約】【課題】排水を効率良く処理すること。【解決手段】管理装置は、排水装置から排出される排水に係る排水データを取得する排水データ取得部と、排水を処理する排水処理装置の処理に係る処理データを取得する処理データ取得部と、排水データ及び処理データの少なくとも一方に基づいて、排水装置を制御する第１制御処理及び排水処理装置を制御する第２制御処理の一方又は両方を実行する制御部と、を備える。【選択図】図１
2020114576.tif 000002
【特許請求の範囲】
【請求項１】
排水装置から排出される排水に係る排水データを取得する排水データ取得部と、
前記排水を処理する排水処理装置の処理に係る処理データを取得する処理データ取得部と、
前記排水データ及び前記処理データの少なくとも一方に基づいて、前記排水装置を制御する第１制御処理及び前記排水処理装置を制御する第２制御処理の一方又は両方を実行する制御部と、
を備える管理装置。
【請求項２】
前記制御部は、前記第１制御処理において、前記排水装置の排水量、排水タイミング、及び排水温度の少なくとも一つを制御する、
請求項１に記載の管理装置。
【請求項３】
前記制御部は、前記第２制御処理において、前記排水処理装置の処理能力、及び処理タイミングの少なくとも一つを制御する、
請求項１又は請求項２に記載の管理装置。
【請求項４】
前記排水装置は、複数設けられ、
前記排水処理装置は、複数の前記排水装置から排出された前記排水を処理し、
前記排水データ取得部は、複数の前記排水装置から前記排水データを取得し、
前記制御部は、複数の前記排水装置の少なくとも一部の排水量及び排水タイミングの一方又は両方を制御する、
請求項１から請求項３のいずれか一項に記載の管理装置。
【発明の詳細な説明】
【技術分野】
【０００１】
本発明は、管理装置に関する。
【背景技術】
【０００２】
排水を排出する排水装置として、ボイラ及び洗浄装置等が知られている。排水装置から排出される排水は、法規で定められた排水基準に適合するように排水処理装置で処理される。排水処理装置の一例として、ボイラから排出された排水を中和する中和装置が特許文献１に開示されている。
【先行技術文献】
【特許文献】
【０００３】
【特許文献１】特開２００１−２９３４８４号公報
【発明の概要】
【発明が解決しようとする課題】
【０００４】
排水を効率良く処理するためには、排水装置から排水処理装置に適量な排水を適切なタイミングで供給することが要望される。
【０００５】
本発明の態様は、排水を効率良く処理することを目的とする。
【課題を解決するための手段】
【０００６】
本発明の態様に従えば、排水装置から排出される排水に係る排水データを取得する排水データ取得部と、前記排水を処理する排水処理装置の処理に係る処理データを取得する処理データ取得部と、前記排水データ及び前記処理データの少なくとも一方に基づいて、前記排水装置を制御する第１制御処理及び前記排水処理装置を制御する第２制御処理の一方又は両方を実行する制御部と、を備える管理装置が提供される。
【発明の効果】
【０００７】
本発明の態様によれば、排水を効率良く処理することができる。
【図面の簡単な説明】
【０００８】
【図１】図１は、第１実施形態に係る排水処理システムを模式的に示す図である。
【図２】図２は、第１実施形態に係る排水処理システムを示すブロック図である。
【図３】図３は、第１実施形態に係る第１制御処理を示すフローチャートである。
【図４】図４は、第１実施形態に係る第２制御処理を示すフローチャートである。
【図５】図５は、第２実施形態に係る排水処理システムを示すブロック図である。
【図６】図６は、第２実施形態に係る第１制御処理を説明するための図である。
【発明を実施するための形態】
【０００９】
以下、本発明に係る実施形態について図面を参照しながら説明するが、本発明はこれに限定されない。以下で説明する実施形態の構成要素は適宜組み合わせることができる。また、一部の構成要素を用いない場合もある。
【００１０】
［第１実施形態］
＜排水処理システム＞
図１は、実施形態に係る排水処理システム１を模式的に示す図である。排水処理システム１は、排水装置２から排出された排水ＤＷを処理する排水処理装置３と、排水装置２及び排水処理装置３を管理する管理装置１０とを備える。
【００１１】
排水装置２は、第１制御装置１１を有する。排水処理装置３は、第２制御装置１２を有する。管理装置１０は、第１制御装置１１及び第２制御装置１２のそれぞれに接続される。管理装置１０、第１制御装置１１、及び第２制御装置１２のそれぞれは、コンピュータシステムを含む。
【００１２】
管理装置１０は、第１制御装置１１に排水装置２の運転状態を制御させる管理指令ＭＤ１を出力する。管理装置１０は、第２制御装置１２に排水処理装置３の運転状態を制御させる管理指令ＭＤ２を出力する。第１制御装置１１は、管理指令ＭＤ１に基づいて、排水装置２の運転状態を制御する制御指令ＣＤ１を出力する。第２制御装置１２は、管理指令ＭＤ２に基づいて、排水処理装置３の運転状態を制御する制御指令ＣＤ２を出力する。
【００１３】
実施形態においては、排水装置２がボイラであることとする。以下の説明においては、排水装置２を適宜、ボイラ２、と称する。
【００１４】
（ボイラ）
ボイラ２は、ボイラ水ＢＷを加熱して蒸気ＶＡを生成する蒸気ボイラである。ボイラ２は、ボイラ本体２０と、ボイラ本体２０に供給されるボイラ水ＢＷが流通する給水ライン２１と、ボイラ本体２０から排出された排水ＤＷが流通する排水ライン２２と、ボイラ本体２０で生成された蒸気ＶＡが流通する蒸気ライン２３と、ボイラ本体２０に供給される燃料ＦＵが流通する燃料ライン２４と、ボイラ本体２０から排出された排ガスＥＧが流通する排ガスライン２５と、排水ライン２２を流通する排水ＤＷの流量を調整する排水バルブ２６と、排水ライン２２を流通する排水ＤＷの温度を検出する排水温度センサ２７と、排水ライン２２を流通する排水ＤＷの流量を検出する流量センサ２８と有する。
【００１５】
ボイラ本体２０は、ボイラ水ＢＷが流通する水管と、水管を流通するボイラ水ＢＷを加熱するバーナとを有する。ボイラ水ＢＷは、給水ライン２１を介して水管に供給される。バーナは、燃料ライン２４を介して供給された燃料ＦＵを噴射する。バーナから噴射された燃料ＦＵが燃焼することにより、水管に供給されたボイラ水ＢＷが加熱され、蒸気ＶＡが生成される。ボイラ水ＢＷの加熱により生成された蒸気ＶＡは、ボイラ本体２０から排出され、蒸気ライン２３を流通する。蒸気ライン２３を流通した蒸気ＶＡは、蒸気使用機器に供給される。燃料ＦＵの燃焼により生成された排ガスＥＧは、ボイラ本体２０から排出され、排ガスライン２５を流通する。排ガスライン２５を流通した排ガスＥＧは、排水処理装置３に供給される。ボイラ本体２０に保有されているボイラ水ＢＷの少なくとも一部は、排水ＤＷとしてボイラ本体２０から排出され、排水ライン２２を流通する。排水ライン２２を流通した排水ＤＷは、排水処理装置３に供給される。
【００１６】
排水バルブ２６は、排水ライン２２に配置される。排水バルブ２６は、排水処理装置３に供給される排水ＤＷの流量を調整する。排水ＤＷの流量の調整は、排水ＤＷの流通停止を含む。排水バルブ２６が開くことにより、排水処理装置３に排水ＤＷが供給される。排水バルブ２６が閉じることにより、排水処理装置３に対する排水ＤＷの供給が停止される。第１制御装置１１は、排水バルブ２６を作動させる制御指令ＣＤ１を出力する。排水バルブ２６は、第１制御装置１１から出力された制御指令ＣＤ１に基づいて、排水ＤＷの流量を調整する。
【００１７】
ボイラ本体２０に保有されているボイラ水ＢＷが加熱され、蒸気ＶＡが生成されると、ボイラ水ＢＷに溶解している硬度成分のような溶解物質が徐々に濃縮され、ボイラ水ＢＷにおける溶解物質の濃度が高くなる。第１制御装置１１は、溶解物質の濃度が予め定められている基準値以下になるように、排水バルブ２６を開いて、ボイラ本体２０に保有されているボイラ水ＢＷの少なくとも一部をボイラ本体２０から排水ＤＷとして排出させる。給水ライン２１を介して新規なボイラ水ＢＷがボイラ本体２０に供給されることにより、ボイラ本体２０に保有されているボイラ水ＢＷにおける溶解物質の濃度が基準値以下に維持される。
【００１８】
排水温度センサ２７は、ボイラ２から排出され、排水ライン２２を流通する排水ＤＷの温度を示す排水温度Ｔｄを検出する。排水温度センサ２７は、排水ライン２２に配置される。
【００１９】
流量センサ２８は、ボイラ２から排出され、排水ライン２２を流通する排水ＤＷの流量を示す排水量Ｆｄを検出する。流量センサ２８は、排水ライン２２に配置される。
【００２０】
（排水処理装置）
排水処理装置３は、ボイラ本体２０から排出された排水ＤＷを法規で定められた排水基準に適合するように処理する。ボイラ本体２０から排出される排水ＤＷは、アルカリ性であり高温度である。排水処理装置３による処理は、排水ＤＷを中和する中和処理及び排水ＤＷを冷却する冷却処理を含む。以下の説明においては、排水処理装置３により排水基準に適合するように処理された後の排水ＤＷを適宜、処理水ＴＷ、と称する。処理水ＴＷは、排水処理装置３から放流される。
【００２１】
排水処理装置３は、ボイラ本体２０から排出された排水ＤＷを貯留する貯留槽４と、排水ＤＷを中和する中和装置５と、排水ＤＷを冷却する冷却装置６とを有する。
【００２２】
貯留槽４は、排水ライン２２に接続される。ボイラ本体２０から排出された排水ＤＷは、排水ライン２２を介して貯留槽４に供給される。
【００２３】
中和装置５は、排水ＤＷに中和剤ＮＴを供給して、排水ＤＷを中和する。中和剤ＮＴは、酸性である。実施形態においては、中和剤ＮＴとして、主中和剤ＮＴｍ及び副中和剤ＮＴｓの一方又は両方が使用される。副中和剤ＮＴｓのｐＨ（水素イオン濃度指数）は、主中和剤ＮＴｍのｐＨよりも小さい。
【００２４】
実施形態においては、主中和剤ＮＴｍとして、ボイラ本体２０から排出された排ガスＥＧが使用される。副中和剤ＮＴｓとして、炭酸ガスが使用される。
【００２５】
中和装置５は、副中和剤供給装置５０と、排ガスライン２５に接続される主中和剤ライン５１と、副中和剤供給装置５０に接続される副中和剤ライン５２と、主中和剤ライン５１及び副中和剤ライン５２のそれぞれに接続される合流ライン５３と、合流ライン５３に接続されるエゼクタ５４と、主中和剤ライン５１に配置される主中和剤バルブ５５及びエアバルブ５６と、副中和剤ライン５２に配置される副中和剤バルブ５７とを有する。
【００２６】
副中和剤供給装置５０は、炭酸ガスボンベを含み、副中和剤ＮＴｓである炭酸ガスを供給する。
【００２７】
主中和剤ライン５１は、ボイラ本体２０から排出され、排ガスライン２５を介して供給された主中和剤ＮＴｍである排ガスＥＧを流通させる。
【００２８】
副中和剤ライン５２は、副中和剤供給装置５０から供給された副中和剤ＮＴｓである炭酸ガスを流通させる。
【００２９】
主中和剤バルブ５５は、主中和剤ライン５１を流通する主中和剤ＮＴｍの流量を調整する。主中和剤ＮＴｍの流量の調整は、主中和剤ＮＴｍの流通停止を含む。主中和剤バルブ５５が開くことにより、合流ライン５３に主中和剤ＮＴｍが供給される。主中和剤バルブ５５が閉じることにより、合流ライン５３に対する主中和剤ＮＴｍの供給が停止される。第２制御装置１２は、主中和剤バルブ５５を作動させる制御指令ＣＤ２を出力する。主中和剤バルブ５５は、第２制御装置１２から出力された制御指令ＣＤ２に基づいて、主中和剤ＮＴｍの流量を調整する。
【００３０】
エアバルブ５６は、主中和剤ライン５１を流通するエアの流量を調整する。エアの流量の調整は、エアの流通停止を含む。エアバルブ５６が開くことにより、合流ライン５３にエアが供給される。エアバルブ５６が閉じることにより、合流ライン５３に対するエアの供給が停止される。第２制御装置１２は、エアバルブ５６を作動させる制御指令ＣＤ２を出力する。エアバルブ５６は、第２制御装置１２から出力された制御指令ＣＤ２に基づいて、エアの流量を調整する。
【００３１】
副中和剤バルブ５７は、副中和剤ライン５２を流通する副中和剤ＮＴｓの流量を調整する。副中和剤ＮＴｓの流量の調整は、副中和剤ＮＴｓの流通停止を含む。副中和剤バルブ５７が開くことにより、合流ライン５３に副中和剤ＮＴｓが供給される。副中和剤バルブ５７が閉じることにより、合流ライン５３に対する副中和剤ＮＴｓの供給が停止される。第２制御装置１２は、副中和剤バルブ５７を作動させる制御指令ＣＤ２を出力する。副中和剤バルブ５７は、第２制御装置１２から出力された制御指令ＣＤ２に基づいて、副中和剤ＮＴｓの流量を調整する。
【００３２】
合流ライン５３は、主中和剤ＮＴｍ及び副中和剤ＮＴｓの一方又は両方を含む中和剤ＮＴを流通させる。実施形態においては、中和剤ＮＴとして、専ら主中和剤ＮＴｍが使用され、必要に応じて主中和剤ＮＴｍと副中和剤ＮＴｓとの混合物が使用される。中和剤ＮＴとして主中和剤ＮＴｍを使用する場合、第２制御装置１２は、主中和剤バルブ５５を開き、副中和剤バルブ５７を閉じる。これにより、主中和剤ＮＴｍは、合流ライン５３を流通する。中和剤ＮＴとして主中和剤ＮＴｍと副中和剤ＮＴｓとの混合物を使用する場合、第２制御装置１２は、主中和剤バルブ５５及び副中和剤バルブ５７の両方を開く。これにより、主中和剤ライン５１を流通した主中和剤ＮＴｍと副中和剤ライン５２を流通した副中和剤ＮＴｓとが合流ライン５３で合流し、主中和剤ＮＴｍと副中和剤ＮＴｓとの混合物が生成される。主中和剤ＮＴｍと副中和剤ＮＴｓとの混合物は、合流ライン５３を流通する。合流ライン５３を流通した中和剤ＮＴは、エゼクタ５４に供給される。
【００３３】
冷却装置６は、冷却器６０と、貯留槽４と冷却器６０とを接続する第１流通ライン６１と、冷却器６０と貯留槽４とを接続する第２流通ライン６２と、第１流通ライン６１に配置される循環ポンプ６３と、冷却器６０に接続される冷媒供給ライン６４と、冷却器６０に接続される冷媒排出ライン６５と、冷媒供給ライン６４に配置される冷媒バルブ６６とを有する。
【００３４】
冷却器６０は、排水ＤＷを冷却する。冷却器６０は、冷媒ＲＥとの熱交換により排水ＤＷを冷却する熱交換器を含む。冷却器６０は、排水ＤＷが流入する流入口６０Ａと、排水ＤＷが流出する流出口６０Ｂと、冷媒ＲＥが流入する冷媒入口６０Ｃと、冷媒ＲＥが流出する冷媒出口６０Ｄとを有する。
【００３５】
第１流通ライン６１は、貯留槽４の上部と冷却器６０の流入口６０Ａとを接続する。循環ポンプ６３の作動により、貯留槽４から流出した排水ＤＷは、第１流通ライン６１を流通した後、流入口６０Ａを介して冷却器６０に供給される。
【００３６】
第２流通ライン６２は、冷却器６０の流出口６０Ｂと貯留槽４の下部とを接続する。冷却器６０において冷却された排水ＤＷは、流出口６０Ｂから流出した後、第２流通ライン６２を介して貯留槽４に供給される。
【００３７】
冷媒供給ライン６４は、冷却器６０の冷媒入口６０Ｃに接続される。冷媒ＲＥは、冷媒供給ライン６４を流通した後、冷媒入口６０Ｃを介して冷却器６０に供給される。
【００３８】
冷媒排出ライン６５は、冷却器６０の冷媒出口６０Ｄに接続される。排水ＤＷを冷却した冷媒ＲＥは、冷媒出口６０Ｄから流出した後、冷媒排出ライン６５を流通する。
【００３９】
冷媒バルブ６６は、冷媒供給ライン６４を流通する冷媒ＲＥの流量を調整する。冷媒ＲＥの流量の調整は、冷媒ＲＥの流通停止を含む。冷媒バルブ６６が開くことにより、冷却器６０に冷媒ＲＥが供給される。冷媒バルブ６６が閉じることにより、冷却器６０に対する冷媒ＲＥの供給が停止される。第２制御装置１２は、冷媒バルブ６６を作動させる制御指令ＣＤ２を出力する。冷媒バルブ６６は、第２制御装置１２から出力された制御指令ＣＤ２に基づいて、冷媒ＲＥの流量を調整する。
【００４０】
エゼクタ５４は、第２流通ライン６２に配置される。エゼクタ５４は、冷却器６０から流出した排水ＤＷが流入する入口５４Ａと、排水ＤＷが流出する出口５４Ｂと、中和剤ＮＴが流入する吸引口５４Ｃとを有する。入口５４Ａは、第２流通ライン６２の一部を介して冷却器６０の流出口６０Ｂに接続される。出口５４Ｂは、第２流通ライン６２の一部を介して貯留槽４に接続される。吸引口５４Ｃは、合流ライン５３に接続される。
【００４１】
エゼクタ５４は、排水ＤＷと中和剤ＮＴとを混合して、排水ＤＷを中和する。冷却器６０から流出し、第２流通ライン６２の一部を流通した排水ＤＷは、入口５４Ａを介してエゼクタ５４に供給される。合流ライン５３を流通した中和剤ＮＴは、吸引口５４Ｃを介してエゼクタ５４に供給される。エゼクタ５４は、排水ＤＷの流通により発生する負圧を利用して、吸引口５４Ｃから中和剤ＮＴを吸引する。入口５４Ａを介してエゼクタ５４に供給された排水ＤＷと吸引口５４Ｃを介してエゼクタ５４に供給された中和剤ＮＴとが混合される。エゼクタ５４において発生する乱流効果により排水ＤＷが撹拌され、排水ＤＷと中和剤ＮＴとは十分に混合される。中和剤ＮＴと混合されることにより、排水ＤＷは中和される。エゼクタ５４において中和剤ＮＴが混合された排水ＤＷは、出口５４Ｂから流出した後、第２流通ライン６２を介して貯留槽４に供給される。
【００４２】
貯留槽４、第１流通ライン６１、冷却器６０、エゼクタ５４、及び第２流通ライン６２により、排水ＤＷが循環する循環ライン６７が形成される。循環ポンプ６３は、循環ライン６７において排水ＤＷを循環させる。循環ポンプ６３は、循環ライン６７を流通する排水ＤＷの流量を調整する。排水ＤＷの流量の調整は、排水ＤＷの流通停止を含む。循環ポンプ６３が作動することにより、循環ライン６７において排水ＤＷが流通する。循環ポンプ６３の作動が停止することにより、循環ライン６７における排水ＤＷの流通が停止される。第２制御装置１２は、循環ポンプ６３を作動させる制御指令ＣＤ２を出力する。循環ポンプ６３は、第２制御装置１２から出力された制御指令ＣＤ２に基づいて、排水ＤＷの流量を調整する。
【００４３】
貯留槽４から流出した排水ＤＷは、第１流通ライン６１を介して冷却器６０に供給される。冷却器６０において冷却された排水ＤＷは、第２流通ライン６２の一部を介してエゼクタ５４に供給される。エゼクタ５４において中和剤ＮＴと混合された排水ＤＷは、第２流通ライン６２の一部を介して貯留槽４に戻される。冷却器６０及びエゼクタ５４を含む循環ライン６７を排水ＤＷが循環することにより、排水ＤＷのｐＨ及び温度が排水基準に適合するように調整される。貯留槽４に貯留される排水ＤＷは、排水基準に適合する処理水ＴＷに遷移する。
【００４４】
排水処理装置３は、貯留槽４に接続される放流ライン４１と、放流ライン４１に配置される放流バルブ４２とを有する。
【００４５】
放流ライン４１は、貯留槽４の底部に接続される。放流ライン４１は、貯留槽４から放流された処理水ＴＷを流通させる。
【００４６】
放流バルブ４２は、放流ライン４１を流通する処理水ＴＷの流量を調整する。処理水ＴＷの流量の調整は、処理水ＴＷの流通停止を含む。放流バルブ４２が開くことにより、貯留槽４に貯留されている処理水ＴＷが放流される。放流バルブ４２が閉じることにより、貯留槽４に貯留されている処理水ＴＷの放流が停止される。第２制御装置１２は、放流バルブ４２を作動させる制御指令ＣＤ２を出力する。放流バルブ４２は、第２制御装置１２から出力された制御指令ＣＤ２に基づいて、処理水ＴＷの流量を調整する。
【００４７】
排水処理装置３は、貯留槽４に貯留されている排水ＤＷの量を検出する保有水量センサ１３と、貯留槽４に貯留されている排水ＤＷの温度を検出する貯留温度センサ１４と、排水ＤＷのｐＨを検出する第１ｐＨセンサ１５及び第２ｐＨセンサ１６と、循環ライン６７を流通する排水ＤＷの流量を検出する流量センサ１７とを備える。
【００４８】
保有水量センサ１３は、貯留槽４に貯留されている排水ＤＷの量を示す保有水量Ｆｈを検出する。保有水量センサ１３は、貯留槽４に配置される。保有水量センサ１３は、例えば水位センサを含み、貯留槽４における排水ＤＷの水位を検出して、保有水量Ｆｈを検出する。水位とは、鉛直線と平行な方向における排水ＤＷの表面の位置をいう。
【００４９】
貯留温度センサ１４は、貯留槽４に貯留されている排水ＤＷの温度を示す貯留温度Ｔｒを検出する。貯留温度センサ１４は、貯留槽４に配置される。
【００５０】
第１ｐＨセンサ１５は、エゼクタ５４において中和剤ＮＴが混合された後、第２流通ライン６２を流通する排水ＤＷのｐＨを検出する。第１ｐＨセンサ１５は、エゼクタ５４と貯留槽４との間の第２流通ライン６２に配置される。
【００５１】
第２ｐＨセンサ１６は、貯留槽４に貯留されている排水ＤＷのｐＨを検出する。第２ｐＨセンサ１６は、貯留槽４に配置される。
【００５２】
流量センサ１７は、循環ライン６７を流通する排水ＤＷの流量を示す排水流量Ｆｅを検出する。流量センサ１７は、循環ライン６７に配置される。
【００５３】
＜管理装置＞
図２は、実施形態に係る排水処理システム１を示すブロック図である。管理装置１０、第１制御装置１１、及び第２制御装置１２のそれぞれは、ＣＰＵ（Central  Processing  Unit）のようなプロセッサを含む演算処理装置と、ＲＡＭ（Random  Access  Memory）のような揮発性メモリ及びＲＯＭ（Read  Only  Memory）のような不揮発性メモリを含む記憶装置とを有する。
【００５４】
管理装置１０は、排水データ取得部１０１と、処理データ取得部１０２と、制御部１０３と、第１管理指令出力部１０４と、第２管理指令出力部１０５とを有する。
【００５５】
排水データ取得部１０１は、ボイラ本体２０から排出される排水ＤＷに係る排水データＤＡ１を取得する。排水データＤＡ１は、ボイラ本体２０の排水量Ｆｄ、ボイラ本体２０の排水タイミングＰｄ、及びボイラ本体２０の排水温度Ｔｄの少なくとも一つを含む。排水データ取得部１０１は、第１制御装置１１から排水データＤＡ１を取得する。
【００５６】
排水量Ｆｄとは、ボイラ本体２０に保有されているボイラ水ＢＷにおける溶解物質の濃度を基準値以下にするために必要なボイラ本体２０から排出する排水ＤＷの量をいう。排水ＤＷの排出を連続的に行う連続ブローが実行される場合、排水量Ｆｄは、ボイラ本体２０から排出される単位時間当たりの排水ＤＷの流量［Ｌｉｔｅｒ／Ｈｏｕｒ］である。排水ＤＷの排出を間欠的に行う間欠ブローが実行される場合、排水量Ｆｄは、ボイラ本体２０から排出される排水ＤＷの量［Ｌｉｔｅｒ］である。排水量Ｆｄは、例えば排水バルブ２６の作動状態によって決定される。
【００５７】
排水タイミングＰｄは、排水開始タイミングＰｄｓ、排水終了タイミングＰｄｅ、及び排水時間Ｐｄｔの少なくとも一つを含む。排水開始タイミングＰｄｓとは、ボイラ本体２０からの排水ＤＷの排出が開始される時点をいう。排水終了タイミングＰｄｅとは、ボイラ本体２０からの排水ＤＷの排出が終了する時点をいう。排水時間Ｐｄｔとは、ボイラ本体２０からの排水ＤＷの排出が実行される時間をいい、排水開始タイミングＰｄｓと排水終了タイミングＰｄｅとの間の時間をいう。排水タイミングＰｄは、例えば排水バルブ２６の作動状態によって決定される。
【００５８】
排水温度Ｔｄとは、ボイラ本体２０から排出される排水ＤＷの温度をいう。実施形態において、排水温度Ｔｄとは、排水ライン２２の少なくとも一部を介してボイラ本体２０から貯留槽４に供給される排水ＤＷの温度をいう。排水温度Ｔｄは、例えばボイラ本体２０における燃料ＦＵの燃焼状態によって決定される。なお、排水温度Ｔｄは、ブロー熱交換器（不図示）の作動状態によって決定されてもよい。ブロー熱交換器は、ボイラ水ＢＷと排水ＤＷとを熱交換する。ブロー熱交換器は、例えば排水ライン２２の少なくとも一部と並列に配置される。貯留槽４に供給される排水ＤＷの温度を低下させる場合、ボイラ本体２０から排出された排水ＤＷの少なくとも一部は、ブロー熱交換器に供給され、ボイラ水ＢＷと熱交換される。ブロー熱交換器において冷却された排水ＤＷは、排水ライン２２の少なくとも一部を介して、貯留槽４に供給される。貯留槽４に供給される排水ＤＷの温度を上昇させる場合、ボイラ本体２０から排出された排水ＤＷは、ブロー熱交換器に供給されることなく、貯留槽４に供給される。このように、ブロー熱交換器により、ボイラ本体２０から貯留槽４に供給される排水ＤＷの温度が調整されてもよい。
【００５９】
処理データ取得部１０２は、排水処理装置３の処理に係る処理データＤＡ２を取得する。処理データＤＡ２は、排水処理装置３の処理能力Ａｐ、及び処理タイミングＰｐの少なくとも一つを含む。処理データ取得部１０２は、第２制御装置１２から処理データＤＡ２を取得する。
【００６０】
排水処理装置３の処理能力Ａｐは、処理量Ｆｐ、保有水量Ｆｈ、処理内容、及び処理レベルの少なくとも一つを含む。
【００６１】
処理量Ｆｐとは、排水処理装置３が処理可能な単位時間当たりの排水ＤＷの量［Ｌｉｔｅｒ／Ｈｏｕｒ］をいう。処理量Ｆｐは、例えば循環ライン６７を流通する排水ＤＷの流量によって決定される。すなわち、処理量Ｆｐは、循環ポンプ６３の作動状態によって決定される。
【００６２】
処理量Ｆｐは、循環ポンプ６３の現状の作動状態によって決定される現況処理量Ｆｐｃと、最大出力で作動する循環ポンプ６３の作動状態によって決定される最大処理量Ｆｐｍとを含む。最大処理量Ｆｐｍは、例えば循環ポンプ６３のスペック（specification）によって決定される既知データである。
【００６３】
保有水量Ｆｈとは、貯留槽４に貯留されている排水ＤＷの量［Ｌｉｔｅｒ］をいう。
【００６４】
保有水量Ｆｈは、貯留槽４に貯留されている現状の保有水量Ｆｈを示す現況保有水量Ｆｈｃと、貯留槽４が貯留可能な最大の保有水量Ｆｈを示す最大保有水量Ｆｈｍとを含む。現況保有水量Ｆｈｃは、保有水量センサ１３によって検出される。最大保有水量Ｆｈｍは、例えば貯留槽４のスペック（specification）によって決定される既知データである。
【００６５】
処理内容とは、排水処理装置３が実行可能な処理の種類をいう。実施形態において、処理内容は、中和処理及び冷却処理を含む。処理内容は、中和装置５及び冷却装置６のそれぞれの作動状態によって決定される。処理内容は、例えば冷媒バルブ６６の作動状態、主中和剤バルブ５５の作動状態、及び副中和剤バルブ５７の作動状態の少なくとも一つによって決定される。
【００６６】
処理レベルとは、排水処理装置３が実行する処理の度合いをいう。処理レベルは、冷却器６０に供給される冷媒ＲＥの流量、エゼクタ５４に供給される中和剤ＮＴの流量、及びエゼクタ５４に供給される中和剤ＮＴの組成の少なくとも一つによって決定される。中和剤ＮＴの組成は、主中和剤ＮＴｍと副中和剤ＮＴｓとの混合比を含む。処理レベルは、例えば冷媒バルブ６６の作動状態、主中和剤バルブ５５の作動状態、及び副中和剤バルブ５７の作動状態の少なくとも一つによって決定される。
【００６７】
処理タイミングＰｐは、処理開始タイミングＰｐｓ、処理終了タイミングＰｐｅ、及び処理時間Ｐｐｔの少なくとも一つを含む。処理開始タイミングＰｐｓとは、排水処理装置３による排水ＤＷの処理が開始される時点をいう。処理終了タイミングＰｐｅとは、排水処理装置３による排水ＤＷの処理が終了する時点をいう。処理時間Ｐｐｔとは、排水処理装置３による排水ＤＷの処理が実行される時間をいい、処理開始タイミングＰｐｓと処理終了タイミングＰｐｅとの間の時間をいう。処理タイミングＰｐは、例えば循環ポンプ６３の作動状態、冷媒バルブ６６の作動状態、主中和剤バルブ５５の作動状態、及び副中和剤バルブ５７の作動状態の少なくとも一つによって決定される。
【００６８】
制御部１０３は、排水データ取得部１０１により取得された排水データＤＡ１及び処理データ取得部１０２により取得された処理データＤＡ２の少なくとも一方に基づいて、ボイラ２を制御する第１制御処理及び排水処理装置３を制御する第２制御処理の一方又は両方を実行する。制御部１０３は、第１制御処理において、ボイラ２の運転状態を制御させる管理指令ＭＤ１を出力する。制御部１０３は、第２制御処理において、排水処理装置３の運転状態を制御させる管理指令ＭＤ２を出力する。
【００６９】
ボイラ２の運転状態は、ボイラ本体２０の排水量Ｆｄ、ボイラ本体２０の排水タイミングＰｄ、及びボイラ本体２０の排水温度Ｔｄの少なくとも一つを含む。制御部１０３は、第１制御処理において、排水量Ｆｄ、排水タイミングＰｄ、及び排水温度Ｔｄの少なくとも一つを制御する管理指令ＭＤ１を出力する。
【００７０】
排水処理装置３の運転状態は、排水処理装置３の処理能力Ａｐ、及び排水処理装置３の処理タイミングＰｐの少なくとも一つを含む。制御部１０３は、第２制御処理において、処理能力Ａｐ、及び処理タイミングＰｐの少なくとも一つを制御する管理指令ＭＤ２を出力する。
【００７１】
第１管理指令出力部１０４は、ボイラ２の運転状態を制御させる管理指令ＭＤ１を第１制御装置１１に出力する。制御部１０３は、第１管理指令出力部１０４を介して、第１制御装置１１に管理指令ＭＤ１を出力する。
【００７２】
第２管理指令出力部１０５は、排水処理装置３の運転状態を制御させる管理指令ＭＤ２を第２制御装置１２に出力する。制御部１０３は、第２管理指令出力部１０５を介して、第２制御装置１２に管理指令ＭＤ２を出力する。
【００７３】
第１制御装置１１は、第１運転状態制御部１１１と、排水データ出力部１１２とを有する。
【００７４】
第１運転状態制御部１１１は、ボイラ２の運転状態を制御する制御指令ＣＤ１を出力する。ボイラ２の運転状態は、例えば排水バルブ２６の作動状態によって決定される。第１運転状態制御部１１１は、ボイラ２の運転状態を制御するために、排水バルブ２６に制御指令ＣＤ１を出力する。
【００７５】
第１運転状態制御部１１１は、ボイラ本体２０に保有されているボイラ水ＢＷにおける溶解物質の濃度が基準値以下になるように、ボイラ２の運転状態を制御する。
【００７６】
排水データ出力部１１２は、排水量Ｆｄ、排水タイミングＰｄ、及び排水温度Ｔｄの少なくとも一つを排水データＤＡ１として管理装置１０に出力する。排水データ出力部１１２は、規定のパラメータに基づいて、排水データＤＡ１を算出することができる。
【００７７】
排水データ出力部１１２は、例えば給水ライン２１を介してボイラ本体２０に供給されるボイラ水ＢＷの給水量、ボイラ水ＢＷにおける溶解物質の濃度、ボイラ本体２０の蒸発量、及び蒸発量に対する排水量Ｆｄの目標値を示すブロー率等に基づいて、排水量Ｆｄ及び排水タイミングＰｄを算出することができる。また、排水データ出力部１１２は、例えばボイラ本体２０の蒸気圧、及びボイラ本体２０の飽和温度に基づいて、排水温度Ｔｄを算出することができる。
【００７８】
なお、排水データ出力部１１２は、第１運転状態制御部１１１から出力される制御指令ＣＤ１、排水温度センサ２７の検出データ、及び流量センサ２８の検出データの少なくとも一つに基づいて、排水データＤＡ１を算出してもよい。
【００７９】
第２制御装置１２は、第２運転状態制御部１２１と、処理データ出力部１２２とを有する。
【００８０】
第２運転状態制御部１２１は、排水処理装置３の運転状態を制御する制御指令ＣＤ２を出力する。排水処理装置３の運転状態は、例えば循環ポンプ６３の作動状態、冷媒バルブ６６の作動状態、主中和剤バルブ５５の作動状態、及び副中和剤バルブ５７の作動状態の少なくとも一つによって決定される。第２運転状態制御部１２１は、排水処理装置３の運転状態を制御するために、循環ポンプ６３、冷媒バルブ６６、主中和剤バルブ５５、及び副中和剤バルブ５７の少なくとも一つに制御指令ＣＤ２を出力する。
【００８１】
第２運転状態制御部１２１は、循環ライン６７を循環する排水ＤＷが処理水ＴＷになるように、排水処理装置３の運転状態を制御する。
【００８２】
処理データ出力部１２２は、処理能力Ａｐ、及び処理タイミングＰｐの少なくとも一つを処理データＤＡ２として管理装置１０に出力する。処理データ出力部１２２は、規定のパラメータに基づいて、処理データＤＡ２を算出することができる。
【００８３】
処理データ出力部１２２は、例えば保有水量センサ１３、貯留温度センサ１４、第１ｐＨセンサ１５、第２ｐＨセンサ１６、及び流量センサ１７の少なくとも一つの検出データに基づいて、処理データＤＡ２を算出することができる。処理データ出力部１２２は、例えば流量センサ１７の検出データに基づいて、処理量Ｆｐを算出することができる。また、処理データ出力部１２２は、保有水量センサ１３の検出データに基づいて、保有水量Ｆｈを算出することができる。また、処理データ出力部１２２は、例えば貯留温度センサ１４、第１ｐＨセンサ１５、及び第２ｐＨセンサ１６の少なくとも一つの検出データに基づいて、処理内容及び処理レベルを算出することができる。また、処理データ出力部１２２は、例えば保有水量センサ１３、貯留温度センサ１４、第１ｐＨセンサ１５、第２ｐＨセンサ１６、及び流量センサ１７の少なくとも一つの検出データに基づいて、処理タイミングＰｐを算出することができる。
【００８４】
なお、処理データ出力部１２２は、第２運転状態制御部１２１から出力される制御指令ＣＤ２に基づいて、処理データＤＡ２を算出してもよい。処理データ出力部１２２は、例えば循環ポンプ６３に出力された制御指令ＣＤ２に基づいて、循環ポンプ６３の現状の作動状態（循環ポンプ６３の容量及び回転数）を推定して、循環ライン６７を流通する排水ＤＷの流量を算出することができる。処理データ出力部１２２は、循環ライン６７を流通する排水ＤＷの流量に基づいて、現状の処理量Ｆｐを示す現況処理量Ｆｐｃを算出することができる。また、処理データ出力部１２２は、冷媒バルブ６６に出力された制御指令ＣＤ２に基づいて、冷媒バルブ６６の現状の作動状態（開度）を推定して、冷却器６０に供給される冷媒ＲＥの流量を算出することができる。処理データ出力部１２２は、冷媒ＲＥの流量に基づいて、冷却装置６の現状の処理レベルを算出することができる。また、処理データ出力部１２２は、主中和剤バルブ５５及び副中和剤バルブ５７のそれぞれに出力された制御指令ＣＤ２に基づいて、主中和剤バルブ５５及び副中和剤バルブ５７のそれぞれの現状の作動状態（開度）を推定して、エゼクタ５４に供給される中和剤ＮＴの流量及び組成を算出することができる。処理データ出力部１２２は、中和剤ＮＴの流量及び組成に基づいて、中和装置５の現状の処理レベルを算出することができる。また、処理データ出力部１２２は、第２運転状態制御部１２１から出力される制御指令ＣＤ２に基づいて、処理タイミングＰｐを算出することができる。
【００８５】
＜管理方法＞
次に、管理装置１０による管理方法について説明する。制御部１０３は、排水データＤＡ１及び処理データＤＡ２の少なくとも一方に基づいて、ボイラ２を制御する第１制御処理及び排水処理装置３を制御する第２制御処理の一方又は両方を実行する。
【００８６】
（第１制御処理）
制御部１０３は、排水データＤＡ１及び処理データＤＡ２に基づいて、ボイラ２の運転状態を制御する第１制御処理を実行する。ボイラ２の運転状態の制御は、排水量Ｆｄの制御、排水タイミングＰｄの制御、及び排水温度Ｔｄの制御の少なくとも一つを含む。
【００８７】
図３は、実施形態に係る第１制御処理を示すフローチャートである。貯留槽４に排水ＤＷが貯留されている場合、第２制御装置１２の処理データ出力部１２２は、排水ＤＷを処理水ＴＷにするための処理データＤＡ２を算出する。第２運転状態制御部１２１は、処理データ出力部１２２により算出された処理能力Ａｐ及び処理タイミングＰｐで、排水処理装置３による排水ＤＷの処理が実行されるように、循環ポンプ６３、冷媒バルブ６６、主中和剤バルブ５５、及び副中和剤バルブ５７の少なくとも一つに制御指令ＣＤ２を出力する。循環ポンプ６３の作動状態、冷媒バルブ６６の作動状態、主中和剤バルブ５５の作動状態、及び副中和剤バルブ５７の作動状態は、制御指令ＣＤ２に基づいて制御される。
【００８８】
排水データ出力部１１２は、排水量Ｆｄ、排水タイミングＰｄ、及び排水温度Ｔｄの少なくとも一つを含む排水データＤＡ１を、規定の時間間隔で管理装置１０に連続的に出力する（ステップＳＡ１１）。
【００８９】
排水データ取得部１０１は、排水データ出力部１１２から出力された排水データＤＡ１を取得する。
【００９０】
処理データ出力部１２２は、処理能力Ａｐ、及び処理タイミングＰｐの少なくとも一つを含む処理データＤＡ２を、規定の時間間隔で管理装置１０に連続的に出力する（ステップＳＣ１１）。
【００９１】
処理データ取得部１０２は、処理データ出力部１２２から出力された処理データＤＡ２を取得する。
【００９２】
制御部１０３は、排水データ取得部１０１により取得された排水データＤＡ１及び処理データ取得部１０２により取得された処理データＤＡ２に基づいて、排水量Ｆｄ及び排水タイミングＰｄを決定する（ステップＳＢ１１）。
【００９３】
制御部１０３は、排水データＤＡ１及び処理データＤＡ２に基づいて、排水処理装置３が排水ＤＷを処理可能か否かを判定する。制御部１０３は、排水処理装置３が排水ＤＷを処理可能であると判定した場合、処理可能な排水量Ｆｄを決定する。制御部１０３は、現況処理量Ｆｐｃと最大処理量Ｆｐｍとの差分に基づいて、排水処理装置３が排水ＤＷを処理可能か否かを判定する。例えば、現況処理量Ｆｐｃが最大処理量Ｆｐｍを下回っていて、排水量Ｆｄが最大処理量Ｆｐｍと現況処理量Ｆｐｃとの差分よりも少ないと判定した場合、制御部１０３は、排水処理装置３は排水量Ｆｄで供給される排水ＤＷを処理可能であると判定する。
【００９４】
また、最大処理量Ｆｐｍと現況処理量Ｆｐｃとの差分が排水量Ｆｄより少ない場合でも、最大処理量Ｆｐｍと現況処理量Ｆｐｃとの差分が予め設定された規定値よりも大きいと判定した場合、制御部１０３は、排水処理装置３が排水ＤＷを処理可能であると判定してもよい。その場合、制御部１０３は、排水量Ｆｄが少なくなるように、排水処理装置３が処理可能な排水量Ｆｄを算出及び決定する。
【００９５】
なお、制御部１０３は、現況処理量Ｆｐｃを考慮せずに、最大処理量Ｆｐｍに基づいて、排水量Ｆｄを決定してもよい。
【００９６】
なお、制御部１０３は、現況保有水量Ｆｈｃと最大保有水量Ｆｈｍとの差分に基づいて、排水処理装置３が排水ＤＷを処理可能か否かを判定してもよい。例えば、排水量Ｆｄが最大保有水量Ｆｈｍと現況保有水量Ｆｈｃとの差分よりも少ないと判定した場合、制御部１０３は、排水処理装置３は排水ＤＷを処理可能であると判定してもよい。
【００９７】
また、最大保有水量Ｆｈｍと現況保有水量Ｆｈｃとの差分が排水量Ｆｄより少ない場合でも、最大保有水量Ｆｈｍと現況保有水量Ｆｈｃとの差分が予め設定された規定値よりも大きいと判定した場合、制御部１０３は、排水処理装置３が排水ＤＷを処理可能であると判定してもよい。その場合、制御部１０３は、排水量Ｆｄが少なくなるように、排水処理装置３が処理可能な排水量Ｆｄを算出及び決定する。
【００９８】
また、制御部１０３は、現況保有水量Ｆｈｃに基づいて、排水量Ｆｄを決定してもよい。例えば、規定水量未満の現況保有水量Ｆｈｃと規定水量との差が予め定められている閾値以下になったと判定した場合、制御部１０３は、排水量Ｆｄが少なくなるように排水量Ｆｄを算出及び決定してもよい。
【００９９】
なお、制御部１０３は、例えば貯留温度センサ１４によって検出される現状の貯留温度Ｔｒを示す現況貯留温度Ｔｒｃと、排水基準によって規定される温度の目標値を示す基準温度との差分に基づいて、排水処理装置３が排水ＤＷを処理可能か否かを判定してもよい。例えば、現況貯留温度Ｔｒｃと基準温度との差分が予め設定された規定値よりも少ないと判定した場合、制御部１０３は、排水処理装置３が排水ＤＷを処理可能であると判定してもよい。
【０１００】
なお、制御部１０３は、例えば第２ｐＨセンサ１６によって検出される現状のｐＨを示す現況ｐＨと、排水基準によって規定されるｐＨの目標値を示す基準ｐＨとの差分に基づいて、排水処理装置３が排水ＤＷを処理可能か否かを判定してもよい。例えば、現況ｐＨと基準ｐＨとの差分が予め設定された規定値よりも少ないと判定した場合、制御部１０３は、排水処理装置３は排水ＤＷを処理可能であると判定してもよい。
【０１０１】
また、制御部１０３は、排水開始タイミングＰｄｓを決定する。例えば、制御部１０３は、処理データ取得部１０２により取得された処理開始タイミングＰｐｓに基づいて、排水処理装置３が起動していると判定した場合、排水開始タイミングＰｄｓを任意のタイミングに決定する。また、制御部１０３は、処理開始タイミングＰｐｓと同じタイミングになるように排水開始タイミングＰｄｓを決定してもよい。なお、ボイラ本体２０から排水ＤＷが排出してから、排水ライン２２を流通して、排水処理装置３に到達するまでの間にタイムラグが発生する。タイムラグが発生する場合、制御部１０３は、タイムラグ又は排水ライン２２の長さを考慮して、処理開始タイミングＰｐｓよりも早いタイミングになるように排水開始タイミングＰｄｓを決定してもよい。
【０１０２】
制御部１０３は、決定した排水量Ｆｄ及び排水開始タイミングＰｄｓに基づいて、ボイラ本体２０からの排水ＤＷの排出を開始するか否かを判定する（ステップＳＢ１２）。
【０１０３】
ステップＳＢ１２において、排水ＤＷの排出を開始すると判定した場合（ステップＳＢ１２：Ｙｅｓ）、制御部１０３は、排水ＤＷの排出を開始させる管理指令ＭＤ１を出力する。また、制御部１０３は、決定した排水量Ｆｄで排水ＤＷが排出されるように管理指令ＭＤ１を出力する。制御部１０３から出力された管理指令ＭＤ１は、第１管理指令出力部１０４を介して第１制御装置１１に出力される（ステップＳＢ１３）。
【０１０４】
ステップＳＢ１２において、排水ＤＷの排出を開始しないと判定した場合（ステップＳＢ１２：Ｎｏ）、制御部１０３は、排水処理装置３が排水ＤＷを処理可能な状態になるまで、排水ＤＷの排出を待機させる。制御部１０３は、決定した排水開始タイミングＰｄｓになるまで、排水ＤＷの排出を開始させる管理指令ＭＤ１を出力しない。
【０１０５】
第１運転状態制御部１１１は、第１管理指令出力部１０４から出力された管理指令ＭＤ１を取得する。第１運転状態制御部１１１は、管理指令ＭＤ１に基づいて、ボイラ本体２０から排出された排水ＤＷが排水処理装置３に供給されるように、排水バルブ２６に制御指令ＣＤ１を出力する。第１運転状態制御部１１１は、制御部１０３において決定された排水開始タイミングＰｄｓで排水ＤＷの排出が開始され、制御部１０３において決定された排水量Ｆｄで排水ＤＷが排出されるように、制御指令ＣＤ１を出力する（ステップＳＡ１２）。
【０１０６】
制御部１０３は、排水終了タイミングＰｄｅを決定する。例えば、処理データＤＡ２として、排水処理装置３の処理が終了したことを示す処理終了タイミングＰｐｅ、又は排水処理装置３が最大処理量Ｆｐｍで排水ＤＷを処理していることを示す現況処理量Ｆｐｃを処理データ取得部１０２が取得した場合、制御部１０３は、処理データ取得部１０２により取得された処理データＤＡ２に基づいて、排水終了タイミングＰｄｅを決定する。例えば、制御部１０３は、処理終了タイミングＰｐｅと同じタイミングになるように排水終了タイミングＰｄｅを決定する。また、制御部１０３は、排水処理装置３が最大処理量Ｆｐｍで排水ＤＷを処理していると判定した場合、ボイラ本体２０から排水処理装置３に排水ＤＷが供給されないように、排水終了タイミングＰｄｅを決定する。
【０１０７】
制御部１０３は、決定した排水終了タイミングＰｄｅに基づいて、排水処理装置３に対する排水ＤＷの排出を終了するか否かを判定する（ステップＳＢ１４）。
【０１０８】
ステップＳＢ１４において、排水ＤＷの排出を終了しないと判定した場合（ステップＳＢ１４：Ｎｏ）、制御部１０３は、決定した排水終了タイミングＰｄｅになるまで、排水ＤＷの排出を終了する管理指令ＭＤ１を出力しない。
【０１０９】
ステップＳＢ１４において、排水ＤＷの排出を終了すると判定した場合（ステップＳＢ１４：Ｙｅｓ）、制御部１０３は、排水ＤＷの排出を終了させる管理指令ＭＤ１を出力する。制御部１０３から出力された管理指令ＭＤ１は、第１管理指令出力部１０４を介してボイラ２の第１制御装置１１に出力される（ステップＳＢ１５）。
【０１１０】
第１運転状態制御部１１１は、第１管理指令出力部１０４から出力された管理指令ＭＤ１を取得する。第１運転状態制御部１１１は、管理指令ＭＤ１に基づいて、ボイラ本体２０からの排水ＤＷの排出が停止されるように、排水バルブ２６に制御指令ＣＤ１を出力する。第１運転状態制御部１１１は、制御部１０３において決定された排水終了タイミングＰｄｅで排水ＤＷの排出が終了するように、制御指令ＣＤ１を出力する（ステップＳＡ１３）。
【０１１１】
なお、制御部１０３は、排水処理装置３の処理量Ｆｐが高くなったと判定した場合、排水処理装置３に対する排水ＤＷの排出を終了せずに、排水処理装置３に対する排水量Ｆｄを少なくなるように管理指令ＭＤ１を出力してもよい。
【０１１２】
（第２制御処理）
制御部１０３は、排水データＤＡ１及び処理データＤＡ２に基づいて、排水処理装置３の運転状態を制御する第２制御処理を実行する。排水処理装置３の運転状態の制御は、処理能力Ａｐの制御、及び処理タイミングＰｐの制御の少なくとも一つを含む。
【０１１３】
図４は、実施形態に係る第２制御処理を示すフローチャートである。ボイラ本体２０にボイラ水ＢＷが保有されている場合、第１制御装置１１の排水データ出力部１１２は、ボイラ本体２０に保有されているボイラ水ＢＷにおける溶解物質の濃度を基準値以下にするための排水データＤＡ１を算出する。第１運転状態制御部１１１は、排水データ出力部１１２により算出された排水量Ｆｄ、排水タイミングＰｄ、及び排水温度Ｔｄでボイラ本体２０から排水ＤＷが排出されるように、排水バルブ２６に制御指令ＣＤ１を出力する。
【０１１４】
排水データ出力部１１２は、排水量Ｆｄ、排水タイミングＰｄ、及び排水温度Ｔｄを含む排水データＤＡ１を、規定の時間間隔で管理装置１０に連続的に出力する（ステップＳＡ２１）。
【０１１５】
排水データ取得部１０１は、排水データ出力部１１２から出力された排水データＤＡ１を取得する。
【０１１６】
処理データ出力部１２２は、処理能力Ａｐ、及び処理タイミングＰｐの少なくとも一つを含む処理データＤＡ２を、規定の時間間隔で管理装置１０に連続的に出力する（ステップＳＣ２１）。
【０１１７】
処理データ取得部１０２は、処理データ出力部１２２から出力された処理データＤＡ２を取得する。
【０１１８】
制御部１０３は、排水データ取得部１０１により取得された排水データＤＡ１及び処理データ取得部１０２により取得された処理データＤＡ２に基づいて、処理能力Ａｐ及び処理タイミングＰｐを決定する（ステップＳＢ２１）。
【０１１９】
制御部１０３は、排水データＤＡ１及び処理データＤＡ２に基づいて、処理量Ｆｐを決定する。例えば、制御部１０３は、ボイラ本体２０から排水量Ｆｄで供給される排水ＤＷを排水処理装置３が処理できるように、処理量Ｆｐを算出する。制御部１０３は、排水量Ｆｄに基づいて、循環ライン６７において排水ＤＷを循環させる流量を示す処理量Ｆｐを決定する。例えば、排水量Ｆｄが多い場合、制御部１０３は、処理量Ｆｐが多くなるように、処理量Ｆｐを決定する。排水量Ｆｄが少ない場合、制御部１０３は、処理量Ｆｐが少なくなるように、処理量Ｆｐを決定する。
【０１２０】
また、制御部１０３は、排水データＤＡ１及び処理データＤＡ２に基づいて、処理レベルを決定する。例えば、制御部１０３は、排水温度Ｔｄ及び貯留温度Ｔｒの少なくとも一方に基づいて、冷却器６０に供給する冷媒ＲＥの流量を決定する。例えば排水温度Ｔｄと排水基準で規定される基準温度との差が大きい場合、制御部１０３は、冷媒ＲＥの流量が多くなるように、冷媒ＲＥの流量を決定する。排水温度Ｔｄと基準温度との差が小さい場合、制御部１０３は、冷媒ＲＥの流量が少なくなるように、冷媒ＲＥの流量を決定する。また、制御部１０３は、排水量Ｆｄに基づいて、エゼクタ５４に供給する中和剤ＮＴの流量を決定する。排水量Ｆｄが多い場合、制御部１０３は、中和剤ＮＴの流量が多くなるように、中和剤ＮＴの流量を決定する。排水量Ｆｄが少ない場合、制御部１０３は、中和剤ＮＴの流量が少なくなるように、中和剤ＮＴの流量を決定する。
【０１２１】
また、制御部１０３は、排水データＤＡ１及び処理データＤＡ２に基づいて、処理開始タイミングＰｐｓを決定する。例えば、制御部１０３は、排水データ取得部１０１により取得された排水開始タイミングＰｄｓに基づいて、排水ＤＷの排出が開始されていると判定した場合、処理開始タイミングＰｐｓを任意のタイミングに決定する。また、制御部１０３は、排水開始タイミングＰｄｓと同じタイミングになるように処理開始タイミングＰｐｓを決定してもよい。なお、ボイラ本体２０から排水ＤＷが排出してから、排水ライン２２を流通して、排水処理装置３に到達するまでの間にタイムラグが発生する。タイムラグが発生する場合、制御部１０３は、タイムラグ又は排水ライン２２の長さを考慮して、排水開始タイミングＰｄｓよりも遅いタイミングになるように処理開始タイミングＰｐｓを決定してもよい。
【０１２２】
制御部１０３は、保有水量Ｆｈに基づいて、処理開始タイミングＰｐｓを決定してもよい。例えば、制御部１０３は、貯留槽４に貯留されている排水ＤＷの保有水量Ｆｈが規定水量未満の状態から規定水量に到達したときに排水ＤＷの処理が開始されるように、処理開始タイミングＰｐｓを決定してもよい。
【０１２３】
なお、制御部１０３は、保有水量Ｆｈが規定水量未満でも排水ＤＷの処理が開始されるように、処理開始タイミングＰｐｓを決定してもよい。例えば、排水量Ｆｄの増加が予測される場合、制御部１０３は、保有水量Ｆｈが規定水量未満であっても、増加後の排水量Ｆｄの排水ＤＷが排水処理装置３に供給されたときに排水処理装置３が処理できるように、処理開始タイミングＰｐｓを早めてもよい。排水データ出力部１１２は、給水ライン２１を介してボイラ本体２０に供給されるボイラ水ＢＷの給水量、ボイラ水ＢＷにおける溶解物質の濃度、及びボイラ本体２０の蒸発量等の少なくとも一つの変動に基づいて、ボイラ水ＢＷにおける溶解物質の濃度が急激に上昇すると判定した場合、排水量Ｆｄが増加するように、排水量Ｆｄを算出する。第１運転状態制御部１１１は、排水データ出力部１１２により算出された排水量Ｆｄに基づいて制御指令ＣＤ１を出力する。制御部１０３は、排水データ出力部１１２により算出される排水量Ｆｄに基づいて、排水量Ｆｄの増加を予測することができる。
【０１２４】
制御部１０３は、決定した処理開始タイミングＰｐｓに基づいて、排水処理装置３による排水ＤＷの処理を開始するか否かを判定する（ステップＳＢ２２）。
【０１２５】
ステップＳＢ２２において、排水ＤＷの処理を開始すると判定した場合（ステップＳＢ２２：Ｙｅｓ）、制御部１０３は、排水ＤＷの処理を開始させる管理指令ＭＤ２を出力する。また、制御部１０３は、決定した処理量Ｆｐ、処理内容、及び処理レベルで排水ＤＷが処理されるように管理指令ＭＤ２を出力する。制御部１０３から出力された管理指令ＭＤ２は、第２管理指令出力部１０５を介して第２制御装置１２に出力される（ステップＳＢ２３）。
【０１２６】
ステップＳＢ２２において、排水ＤＷの処理を開始しないと判定した場合（ステップＳＢ２２：Ｎｏ）、制御部１０３は、決定した処理開始タイミングＰｐｓになるまで、排水ＤＷの処理を開始させる管理指令ＭＤ２を出力しない。
【０１２７】
第２運転状態制御部１２１は、第２管理指令出力部１０５から出力された管理指令ＭＤ２を取得する。第２運転状態制御部１２１は、管理指令ＭＤ２に基づいて、排水処理装置３が排水ＤＷを処理するように、主中和剤バルブ５５、副中和剤バルブ５７、冷媒バルブ６６、及び循環ポンプ６３の少なくとも一つに制御指令ＣＤ２を出力する。第２運転状態制御部１２１は、制御部１０３において決定された処理開始タイミングＰｐｓで排水ＤＷの処理が開始され、制御部１０３において決定された処理能力Ａｐで排水ＤＡが処理されるように、制御指令ＣＤ２を出力する（ステップＳＣ２２）。
【０１２８】
第２運転状態制御部１２１から出力された制御指令ＣＤ２に基づいて循環ポンプ６３が起動すると、貯留槽４に貯留されている排水ＤＷは、冷却器６０及びエゼクタ５４を含む循環ライン６７を循環する。
【０１２９】
第２運転状態制御部１２１は、管理指令ＭＤ２に基づいて、冷媒バルブ６６に制御指令ＣＤ２を出力する。排水温度Ｔｄと排水基準で規定される規定温度との差が大きい場合、第２運転状態制御部１２１は、冷媒ＲＥの流量が多くなるように制御指令ＣＤ２を出力する。排水温度Ｔｄと規定温度との差が小さい場合、第２運転状態制御部１２１は、冷媒ＲＥの流量が少なくなるように制御指令ＣＤ２を出力する。なお、第２運転状態制御部１２１は、排水温度Ｔｄを用いずに、排水量Ｆｄに基づいて、冷媒バルブ６６を制御してもよい。第２運転状態制御部１２１は、排水量Ｆｄが多い場合、冷媒ＲＥの流量を多くし、排水量Ｆｄが少ない場合、冷媒ＲＥの流量を少なくしてもよい。
【０１３０】
また、第２運転状態制御部１２１は、管理指令ＭＤ２に基づいて、主中和剤バルブ５５及び副中和剤バルブ５７に制御指令ＣＤ２を出力する。排水量Ｆｄが多い場合、第２運転状態制御部１２１は、中和剤ＮＴの流量が多くなるように制御指令ＣＤ２を出力する。排水量Ｆｄが少ない場合、第２運転状態制御部１２１は、中和剤ＮＴの流量が少なくなるように制御指令ＣＤ２を出力する。
【０１３１】
なお、第２運転状態制御部１２１は、第１ｐＨセンサ１５で検出された排水ＤＷのｐＨに基づいて、主中和剤バルブ５５及び副中和剤バルブ５７に制御指令ＣＤ２を出力してもよい。第２流通ライン６２を流通する排水ＤＷのｐＨと排水基準で規定される規定ｐＨとの差が大きい場合、第２運転状態制御部１２１は、主中和剤ＮＴｍと副中和剤ＮＴｓとの混合物がエゼクタ５４に供給されるように制御指令ＣＤ２を出力する。第２流通ライン６２を流通する排水ＤＷのｐＨと規定ｐＨとの差が小さい場合、第２運転状態制御部１２１は、主中和剤ＮＴｍがエゼクタ５４に供給され、副中和剤ＮＴｓがエゼクタ５４に供給されないように、制御指令ＣＤ２を出力する。
【０１３２】
制御部１０３は、処理終了タイミングＰｐｅを決定する。例えば、排水基準を満足したことを示す貯留温度Ｔｒを排水データ取得部１０１が取得した場合、制御部１０３は、冷媒バルブ６６を閉じて冷却装置６による排水ＤＷの冷却処理を終了させる処理終了タイミングＰｐｅを決定する。また、第２ｐＨセンサ１６は、貯留槽４の排水ＤＷのｐＨを検出する。排水基準を満足したことを示す第２ｐＨセンサ１６の検出データを取得した場合、制御部１０３は、主中和剤バルブ５５及び副中和剤バルブ５７の両方を閉じて中和装置５による排水ＤＷの中和処理を終了させる処理終了タイミングＰｐｅを決定する。
【０１３３】
制御部１０３は、決定した処理終了タイミングＰｐｅに基づいて、排水処理装置３による排水ＤＷの処理を終了するか否かを判定する（ステップＳＢ２４）。
【０１３４】
ステップＳＢ２４において、排水ＤＷの処理を終了しないと判定した場合（ステップＳＢ２４：Ｎｏ）、制御部１０３は、決定した処理終了タイミングＰｐｅになるまで、排水ＤＷの処理を終了する管理指令ＭＤ２を出力しない。
【０１３５】
ステップＳＢ２４において、排水ＤＷの処理を終了すると判定した場合（ステップＳＢ２４：Ｙｅｓ）、制御部１０３は、排水ＤＷの処理を終了させる管理指令ＭＤ２を出力する。制御部１０３から出力された管理指令ＭＤ２は、第２管理指令出力部１０５を介して排水処理装置３の第２制御装置１２に出力される（ステップＳＢ２５）。
【０１３６】
第２運転状態制御部１２１は、第２管理指令出力部１０５から出力された管理指令ＭＤ２を取得する。第２運転状態制御部１２１は、管理指令ＭＤ２に基づいて、排水処理装置３による排水ＤＷの処理が停止されるように、制御指令ＣＤ２を出力する。第２運転状態制御部１２１は、制御部１０３において決定された処理終了タイミングＰｐｅで排水ＤＷの処理が終了するように、主中和剤バルブ５５、副中和剤バルブ５７、冷媒バルブ６６、及び循環ポンプ６３のそれぞれに制御指令ＣＤ２を出力する（ステップＳＣ２３）。
【０１３７】
また、第２運転状態制御部１２１は、放流バルブ４２が開くように、制御指令ＣＤ２を出力する。これにより、排水基準を満足する処理水ＴＷが放流ライン４１を介して放流される。
【０１３８】
なお、貯留槽４に貯留されている排水ＤＷのｐＨが排水基準を満足し、主中和剤バルブ５５及び副中和剤バルブ５７の両方を閉じる場合、第２運転状態制御部１２１は、エアバルブ５６が開くように制御指令ＣＤ２を出力する。エアバルブ５６が開くことにより、エゼクタ５４に外気が導入される。エゼクタ５４に中和剤ＮＴが供給されないときに、エゼクタ５４に外気を吸引させることにより、エゼクタ５４で発生する圧力変動に起因する振動が抑制される。
【０１３９】
＜効果＞
以上説明したように、実施形態によれば、排水データＤＡ１及び処理データＤＡ２が取得され、排水データＤＡ１及び処理データＤＡ２に基づいてボイラ２を制御する第１制御処理、及び排水処理装置３を制御する第２制御処理が実行される。すなわち、ボイラ２と排水処理装置３とは連携して作動する。これにより、ボイラ２から排水処理装置３に適量な排水ＤＷを適切なタイミングで供給することができる。したがって、排水ＤＷを効率良く処理することができる。
【０１４０】
ボイラ２と排水処理装置３とが連携していない場合、多量の排水ＤＷが排水処理装置３に供給されると、排水処理装置３は、排水ＤＷを適切に処理することが困難となる。そのため、ボイラ２と排水処理装置３とが連携していない場合においては、想定される排水ＤＷの最大量に基づいて排水処理装置３を設計する必要がある。想定される排水ＤＷの最大量に基づいて排水処理装置３が設計されると、過剰性能な排水処理装置３が製造され、排水処理装置３が大型化又は高額化する可能性がある。また、実際の運用においては、最大量の排水ＤＷが排水処理装置３に常に供給されるケースは少ないので、過剰性能な排水処理装置３の場合、排水処理装置の稼働率が低下する可能性がある。
【０１４１】
実施形態においては、排水データＤＡ１及び処理データＤＡ２がボイラ２と排水処理装置３とで共有され、ボイラ２と排水処理装置３とは連携して作動可能である。これにより、ボイラ２は、排水処理装置３の処理能力Ａｐに応じて適量な排水ＤＷを適切なタイミングで排水処理装置３に供給することができる。したがって、排水ＤＷを効率良く処理することができる。
【０１４２】
なお、上述の実施形態においては、排水データＤＡ１及び処理データＤＡ２の両方に基づいて第１制御処理が実行される例と、排水データＤＡ１及び処理データＤＡ２の両方に基づいて第２制御処理が実行される例とについて説明した。排水データＤＡ１及び処理データＤＡ２の一方に基づいて第１制御処理及実行されてもよい。排水データＤＡ１及び処理データＤＡ２の一方に基づいて第２制御処理及実行されてもよい。
【０１４３】
なお、上述の実施形態において、排水データＤＡ１及び処理データＤＡ２の少なくとも一方のデータに基づいて、第１制御処理及び第２制御処理の両方が並行して実行されてもよい。例えば、ボイラ２の運転状態及び排水処理装置３の運転状態のそれぞれが最適化されるように、制御部１０３は、第１制御処理と第２制御処理とを組み合わせて実行してもよい。
【０１４４】
［第２実施形態］
第２実施形態について説明する。以下の説明において、上述の実施形態と同一の構成要素については同一の符号を付し、その説明を簡略又は省略する。
【０１４５】
図５は、実施形態に係る排水処理システム１を示すブロック図である。図５に示すように、ボイラ２が複数設けられる。複数のボイラ２が排水処理装置３に接続される。排水処理装置３は、複数のボイラ２から排出された排水ＤＷを処理する。実施形態においては、第１ボイラ２Ａ、第２ボイラ２Ｂ、及び第３ボイラ２Ｃが排水処理装置３に接続される。
【０１４６】
管理装置１０の排水データ取得部１０１は、複数のボイラ２から排水データＤＡ１を取得する。制御部１０３は、複数のボイラ２のそれぞれの排水量Ｆｄ及び排水タイミングＰｄの一方又は両方を制御する。なお、制御部１０３は、複数のボイラ２のうち一部のボイラ２の排水量Ｆｄ及び排水タイミングＰｄの一方又は両方を制御してもよい。
【０１４７】
制御部１０３は、複数のボイラ２の排水量Ｆｄの差が小さくなるように、管理指令ＭＤ１を出力する。また、制御部１０３は、複数のボイラ２の排水タイミングＰｄが異なるように、管理指令ＭＤ１を出力する。
【０１４８】
図６は、実施形態に係る第１制御処理を説明するための図である。制御部１０３は、複数のボイラ２の運転状態を制御する管理指令ＭＤ１を出力する。ボイラ２の運転状態の制御は、ボイラ２から排出される排水ＤＷの制限を含む。排水ＤＷの制限は、ボイラ本体２０から排水ＤＷを排出させないこと及びボイラ本体２０の排水量Ｆｄを少なくすることの少なくとも一方を含む。また、ボイラ２から排出される排水ＤＷの制限は、排水タイミングＰｄの制限及び排水量Ｆｄの制限の一方又は両方を含む。
【０１４９】
図６に示すように、制御部１０３は、第１ボイラ２Ａの排水タイミングＰｄと、第２ボイラ２Ｂの排水タイミングＰｄと、第３ボイラ２Ｃの排水タイミングＰｄとが異なるように、第１ボイラ２Ａの第１制御装置１１、第２ボイラ２Ｂの第１制御装置１１、及び第３ボイラ２Ｃの第１制御装置１１のそれぞれに管理指令ＭＤ１を出力する。
【０１５０】
実施形態においては、第１ボイラ２Ａから排水ＤＷが排出されているとき、第２ボイラ２Ｂ及び第３ボイラ２Ｃからの排水ＤＷの排出が制限される。第２ボイラ２Ｂから排水ＤＷが排出されているとき、第３ボイラ２Ｃ及び第１ボイラ２Ａからの排水ＤＷの排出が制限される。第３ボイラ２Ｃから排水ＤＷが排出されているとき、第１ボイラ２Ａ及び第２ボイラ２Ｂからの排水ＤＷの排出が制限される。
【０１５１】
実施形態において、制御部１０３は、第１ボイラ２Ａの排水終了タイミングＰｄｅと第２ボイラ２Ｂの排水開始タイミングＰｄｓとが一致し、第２ボイラ２Ｂの排水終了タイミングＰｄｅと第３ボイラ２Ｃの排水開始タイミングＰｄｓとが一致するように、管理指令ＭＤ１を出力する。すなわち、制御部１０３は、第１ボイラ２Ａの排水時間Ｐｄｔと、第２ボイラ２Ｂの排水時間Ｐｄｔと、第３ボイラ２Ｃの排水時間Ｐｄｔとが重複しないように、管理指令ＭＤ１を出力する。
【０１５２】
また、制御部１０３は、第１ボイラ２Ａの排水量Ｆｄと、第２ボイラ２Ｂの排水量Ｆｄと、第３ボイラ２Ｃの排水量Ｆｄとが一致するように、第１ボイラ２Ａの第１制御装置１１、第２ボイラ２Ｂの第１制御装置１１、及び第３ボイラ２Ｃの第１制御装置１１のそれぞれに管理指令ＭＤ１を出力する。
【０１５３】
以上説明したように、実施形態によれば、複数のボイラ２の排水タイミングＰｄが異なるように、管理指令ＭＤ１が出力される。これにより、複数のボイラ２から排水処理装置３に排水ＤＷが一度に多量に供給されることが抑制される。すなわち、排水処理装置３による複数のボイラ２のそれぞれから供給される排水ＤＷの処理が平準化される。そのため、排水処理装置３を大型化又は高額化しなくても、排水処理装置３は、複数のボイラ２のそれぞれから供給される排水ＤＷを効率良く処理することができる。
【０１５４】
なお、制御部１０３は、例えば第１ボイラ２Ａの排水時間Ｐｄｔと、第２ボイラ２Ｂの排水時間Ｐｄｔの少なくとも一部とが重複するように管理指令ＭＤ１を出力してもよい。すなわち、制御部１０３は、第１ボイラ２Ａから排出される排水ＤＷと第２ボイラ２Ｂから排出される排水ＤＷとが同時に排水処理装置３に供給されるように管理指令ＭＤ１を出力してもよい。制御部１０３は、処理データＤＡ２に基づいて、第１ボイラ２Ａの排水量Ｆｄと第２ボイラ２Ｂの排水量Ｆｄとの和が、排水処理装置３の処理能力Ａｐ（処理量Ｆｐ）を超えないように、第１ボイラ２Ａの排水量Ｆｄ及び第２ボイラ２Ｂの排水量Ｆｄの少なくとも一方を制限（減少）する管理指令ＭＤ１を出力する。複数のボイラ２から排水処理装置３に排水ＤＷが同時に供給される場合において、排水処理装置３の処理能力Ａｐを超えないようにボイラ２の排水量Ｆｄが制限されることにより、排水処理装置３は、排水ＤＷを効率良く処理することができる。
【０１５５】
［その他の実施形態］
なお、上述の実施形態においては、主中和剤ＮＴｍが排ガスＥＧであることとした。主中和剤ＮＴｍは、排ガスＥＧでなくてもよい。また、上述の実施形態においては、副中和剤ＮＴｓが炭酸ガスＣＧであることとした。副中和剤ＮＴｓは、主中和剤ＮＴｍとは異なる種類（物性）であればよく、例えば塩酸、硫酸、及び硝酸のような酸性薬品でもよい。また、上述の実施形態においては、中和剤ＮＴとして、必要に応じて主中和剤ＮＴｍと副中和剤ＮＴｓとの混合物が使用されることとした。中和剤ＮＴとして、１種類の中和剤が使用されてもよいし、３種類以上の中和剤の混合物が使用されてもよい。
【０１５６】
なお、上述の実施形態においては、排水装置２がボイラであることした。排水装置２は、例えば金属部材を洗浄する洗浄装置でもよい。金属部材の表面を洗浄した後の洗浄液が排水として洗浄装置から排出される。また、上述の実施形態においては、排水がアルカリ性であることとした。排水は酸性でもよい。排水が酸性である場合、排水処理装置は、酸性の排水を中和する中和装置を有する。
【０１５７】
なお、上述の実施形態においては、排水処理装置３による処理内容が中和処理及び冷却処理であることとした。処理内容は、中和処理及び冷却処理に限定されない。処理内容は、排水ＤＷを改質する処理であればよい。
【０１５８】
上述の実施形態において、管理装置１０の少なくとも一部の機能を、第１制御装置１１が有してもよいし、第２制御装置１２が有してもよい。すなわち、排水データ取得部１０１、処理データ取得部１０２、制御部１０３、第１管理指令出力部１０４、及び第２管理指令出力部１０５の一部又は全部が、第１制御装置１１に設けられてもよいし、第２制御装置１２に設けられてもよい。
【０１５９】
また、管理装置１０が、第１制御装置１１及び第２制御装置１２の少なくとも一部の機能を有してもよい。例えば、排水データ出力部１１２の機能を管理装置１０が有してもよいし、処理データ出力部１２２の機能を管理装置１０が有してもよい。
【０１６０】
また、管理装置１０は、規定のパラメータに基づいて排水データＤＡ１を算出し、算出した排水データＤＡ１に基づいて、ボイラ２の運転状態をフィードバック制御してもよい。規定のパラメータとして、給水ライン２１を介してボイラ本体２０に供給されるボイラ水ＢＷの給水量、ボイラ水ＢＷにおける溶解物質の濃度、ボイラ本体２０の蒸発量、及び蒸発量に対する排水量Ｆｄの目標値を示すブロー率等が例示される。同様に、管理装置１０は、規定のパラメータに基づいて処理データＤＡ２を算出し、算出した処理データＤＡ２に基づいて、排水処理装置３の運転状態をフィードバック制御してもよい。
【符号の説明】
【０１６１】
１…排水処理システム、２…ボイラ（排水装置）、２Ａ…第１ボイラ、２Ｂ…第２ボイラ、２Ｃ…第３ボイラ、３…排水処理装置、４…貯留槽、５…中和装置、６…冷却装置、１０…管理装置、１１…第１制御装置、１２…第２制御装置、１３…保有水量センサ、１４…貯留温度センサ、１５…第１ｐＨセンサ、１６…第２ｐＨセンサ、１７…流量センサ、２０…ボイラ本体、２１…給水ライン、２２…排水ライン、２３…蒸気ライン、２４…燃料ライン、２５…排ガスライン、２６…排水バルブ、２７…排水温度センサ、２８…流量センサ、４１…放流ライン、４２…放流バルブ、５０…副中和剤供給装置、５１…主中和剤ライン、５２…副中和剤ライン、５３…合流ライン、５４…エゼクタ、５４Ａ…入口、５４Ｂ…出口、５４Ｃ…吸引口、５５…主中和剤バルブ、５６…エアバルブ、５７…副中和剤バルブ、６０…冷却器、６０Ａ…流入口、６０Ｂ…流出口、６０Ｃ…冷媒入口、６０Ｄ…冷媒出口、６１…第１流通ライン、６２…第２流通ライン、６３…循環ポンプ、６４…冷媒供給ライン、６５…冷媒排出ライン、６６…冷媒バルブ、６７…循環ライン、１０１…排水データ取得部、１０２…処理データ取得部、１０３…制御部、１０４…第１管理指令出力部、１０５…第２管理指令出力部、１１１…第１運転状態制御部、１１２…排水データ出力部、１２１…第２運転状態制御部、１２２…処理データ出力部、Ａｐ…処理能力、ＢＷ…ボイラ水、ＣＤ１…制御指令、ＣＤ２…制御指令、ＤＡ１…排水データ、ＤＡ２…処理データ、ＤＷ…排水、ＥＧ…排ガス、Ｆｄ…排水量、Ｆｈ…保有水量、Ｆｐ…処理量、Ｆｐｃ…現況処理量、Ｆｐｍ…最大処理量、ＦＵ…燃料、ＭＤ１…管理指令、ＭＤ２…管理指令、ＮＴ…中和剤、ＮＴｍ…主中和剤、ＮＴｓ…副中和剤、Ｐｄ…排水タイミング、Ｐｄｅ…排水終了タイミング、Ｐｄｓ…排水開始タイミング、Ｐｄｔ…排水時間、Ｐｐ…処理タイミング、Ｐｐｅ…処理終了タイミング、Ｐｐｓ…処理開始タイミング、Ｐｐｔ…処理時間、ＲＥ…冷媒、Ｔｄ…排水温度、ＴＷ…処理水、ＶＡ…蒸気。
【図１】
2020114576.tif 000003
【図２】
2020114576.tif 000004
【図３】
2020114576.tif 000005
【図４】
2020114576.tif 000006
【図５】
2020114576.tif 000007
【図６】
2020114576.tif 000008